(57)【要約】      （修正有）【課題】表示板を輝度ムラなく均一に照明することが可能な計器装置を提供する。【解決手段】計測値表示部は、光源１１の光軸上に位置していない表示部Ｄ２１（表示部Ｄ２）を少なくとも備え、覆い部は、光軸上に位置する基部７１と、この基部７１を包囲するように設けられる内側包囲部７３（包囲部）とを有し、内側包囲部７３には、光源１１から発せられる照明光Ｌのうち、基部７１並びに回路基板１０の表面部Ｐを経て表示部Ｄ２１（表示部Ｄ２）へと至る第１照明光Ｌ１を通過可能とした貫通孔部７６と、内側包囲部７３（包囲部）並びに表面部Ｐを経て表示部Ｄ２１（表示部Ｄ２）へと至る第２照明光Ｌ２の一部を遮る遮光部７４ａとが形成されている。【選択図】図４
2019039729.tif 000002
【特許請求の範囲】
【請求項１】
表面部に複数個の光源が配設された回路基板と、
前記光源からの照明光を受けて発光表示される計測値表示部を有する表示板と、
前記光源に対応して設けられる複数個の覆い部を有するケース部材とを備え、
前記計測値表示部は、前記光源の光軸上に位置していない表示部を少なくとも備え、
前記覆い部は、前記光軸上に位置する基部と、前記基部を包囲するように設けられる包囲部とを有し、
前記包囲部には、前記光源から発せられる照明光のうち、前記基部並びに前記表面部を経て前記表示部へと至る第１照明光を通過可能とした貫通孔部と、前記包囲部並びに前記表面部を経て前記表示部へと至る第２照明光の一部を遮る遮光部とが形成されていることを特徴とする計器装置。
【請求項２】
表面部に複数個の光源が配設された回路基板と、
前記光源からの照明光を受けて発光表示される計測値表示部を有する表示板と、
前記光源に対応して設けられる複数個の覆い部と前記覆い部の外側に位置する壁部とを有するケース部材とを備え、
前記計測値表示部は、前記光源の光軸上に位置していない表示部を少なくとも備え、
前記覆い部は、前記光軸上に位置する基部と、前記基部を包囲するように設けられる包囲部とを有し、
前記包囲部には、前記光源から発せられる照明光のうち、前記基部並びに前記表面部を経て前記表示部へと至る第１照明光を通過可能とした貫通孔部と、前記包囲部、前記表面部並びに前記壁部を経て前記表示部へと至る第２照明光の一部を遮る遮光部とが形成されていることを特徴とする計器装置。
【請求項３】
前記遮光部は、前記包囲部から前記回路基板側に向けて突出する遮光壁であることを特徴とする請求項１または請求項２記載の計器装置。
【発明の詳細な説明】
【技術分野】
【０００１】
本発明は、例えば自動車等の各種車両に搭載された計器装置に関するものである。
【背景技術】
【０００２】
従来より、この種の計器装置にあっては、例えば下記特許文献１に記載されているものが知られている。この特許文献１に記載の計器装置は、例えば車両の走行速度を表示するアナログ式の速度計であり、表面部に複数個の光源が実装（配設）された硬質の回路基板と、この回路基板に導通装着されたステッピングモータと、ステッピングモータの回転軸に装着された指針と、各光源からの照明光を受けて発光表示される速度数字等の計測値表示部を有する表示板と、回路基板と表示板との間に配置され、複数個の光源に対応して設けられる複数個の覆い部を有する樹脂ケース（ケース部材）とを備えている。
【０００３】
そして、指針によって指示される表示板の計測値表示部は、光源の光軸上に位置していない表示部（例えば車両の走行速度が時速１４０キロメートルであることを示す「１４０」なる速度数字）を少なくとも備え、覆い部は、当該光軸上に位置する断面略逆三角形状の基部と、この基部部を包囲するように設けられる円板部（包囲部）とを有し、円板部には、各光源から発せられる照明光のうち、基部並びに回路基板の表面部を経て前記表示部へと向かう照明光の一部（以下、第１照明光とも言う）を通過可能とした貫通孔部が複数個形成された構成となっている。
【先行技術文献】
【特許文献】
【０００４】
【特許文献１】特開２０１７ー２６５４９号公報
【発明の概要】
【発明が解決しようとする課題】
【０００５】
ところで、特許文献１に記載の計器装置において、前記表示部（例えば車両の走行速度が時速１４０キロメートルであることを示す「１４０」なる速度数字）は、上述した複数個の光源のうち、例えば車両の走行速度が時速１２０キロメートルであることを示す「１２０」なる速度数字の付近にある第１光源部からの照明光や「１４０」なる速度数字を基準として「１２０」なる速度数字側とは相反する側にある第２光源部からの照明光を受けて発光表示される構成となっている。
【０００６】
そして、このような構成にあっては、前記表示部は、前記第１、第２光源部からの照明光を受けて発光表示される。具体的には、当該照明光は、第１の光と第２の光と第３の光と第４の光とに大別される。
【０００７】
第１の光は、第１光源部の光軸付近から発せられる第１照明光のうち、基部（つまり第１光源部真上にある覆い部の基部）の背面並びに回路基板の表面部を順次反射して前記表示部へと至る光である。第２の光は、第１光源部の光軸から外れた領域に発せられる第２照明光のうち、（前記基部の周囲にある）円板部の背面並びに回路基板の表面部を順次反射した後、円板部の外側を抜けて前記表示部へと至る光である。第３の光は、第２光源部の光軸付近から発せられる第１照明光のうち、基部（つまり第２光源部真上にある他の覆い部の基部）の背面並びに回路基板の表面部を順次反射して前記表示部へと至る光である。第４の光は、第２光源部の光軸から外れた領域に発せられる第２照明光のうち、（前記他の覆い部の基部の周囲にある）円板部の背面並びに回路基板の表面部を順次反射した後、円板部の外側を抜けて前記表示部へと至る光である。
【０００８】
すると、特に、計器装置を正視したときに第１光源部と第２光源部との間の略中間地点に前記表示部が位置しているような場合、第１、第２光源部を含む全ての光源の点灯時に前記表示部が、前記表示部を除いた他の計測値表示部（例えば「１４０」なる速度数字以外の他の速度数字）よりも明るくなった状態で発光表示される傾向にあり、表示板（計測値表示部）を輝度ムラなく均一に照明することが困難であるという問題点があった。、
そこで本発明は、前述の課題に対して対処するため、表示板を輝度ムラなく均一に照明することが可能な計器装置の提供を目的とするものである。
【課題を解決するための手段】
【０００９】
本発明は、表面部に複数個の光源が配設された回路基板と、前記光源からの照明光を受けて発光表示される計測値表示部を有する表示板と、前記光源に対応して設けられる複数個の覆い部を有するケース部材とを備え、前記計測値表示部は、前記光源の光軸上に位置していない表示部を少なくとも備え、前記覆い部は、前記光軸上に位置する基部と、前記基部を包囲するように設けられる包囲部とを有し、前記包囲部には、前記光源から発せられる照明光のうち、前記基部並びに前記表面部を経て前記表示部へと至る第１照明光を通過可能とした貫通孔部と、前記包囲部並びに前記表面部を経て前記表示部へと至る第２照明光の一部を遮る遮光部とが形成されていることを特徴とする。
【００１０】
また本発明は、表面部に複数個の光源が配設された回路基板と、前記光源からの照明光を受けて発光表示される計測値表示部を有する表示板と、前記光源に対応して設けられる複数個の覆い部と前記覆い部の外側に位置する壁部とを有するケース部材とを備え、前記計測値表示部は、前記光源の光軸上に位置していない表示部を少なくとも備え、前記覆い部は、前記光軸上に位置する基部と、前記基部を包囲するように設けられる包囲部とを有し、前記包囲部には、前記光源から発せられる照明光のうち、前記基部並びに前記表面部を経て前記表示部へと至る第１照明光を通過可能とした貫通孔部と、前記包囲部、前記表面部並びに前記壁部を経て前記表示部へと至る第２照明光の一部を遮る遮光部とが形成されていることを特徴とする。
【００１１】
また本発明は、前記遮光部は、前記包囲部から前記回路基板側に向けて突出する遮光壁であることを特徴とする。
【発明の効果】
【００１２】
本発明によれば、所期の目的を達成でき、表示板を輝度ムラなく均一に照明することが可能な計器装置を提供できる。
【図面の簡単な説明】
【００１３】
【図１】本実施形態による計器装置の要部正面図。
【図２】図１のＡ−Ａ断面図（ハッチングは省略）。
【図３】図１のＢ−Ｂ断面図（ハッチングは省略）。
【図４】図３中、所要部を拡大して示す要部拡大断面図（ハッチングは省略）。
【図５】同実施形態による見返し部材と表示板とを取り除いたときの計器装置の要部正面図。
【図６】図１のＣ−Ｃ断面図（ハッチングは省略）。
【発明を実施するための形態】
【００１４】
以下、図１〜図６に基づいて、実施形態を説明する。なお、以下の説明では、計器装置を正視（視認）する視認者側を表側とし、当該視認者側とは反対側である反視認者側を裏側とする。
【００１５】
図１、図２において、本実施形態による計器装置は、アナログ式の速度計であり、表面部Ｐに複数個（例えば５個）の光源１１が点在するように実装（配設）された回路基板１０と、この回路基板１０に導通装着され回転軸２１が表側に延びる駆動装置２０と、この駆動装置２０の回転軸２１に装着された指針３０と、各光源１１からの照明光Ｌを受けて発光表示される計測値表示部４１を有する表示板４０と、回路基板１０と表示板４０との間に配置されるケース部材５０と、指針３０や表示板４０の可視領域を定めるための見返し部材６０とを備えている。
【００１６】
回路基板１０は、所定の配線パターンが施された硬質の配線基板であり、例えば白色光を発するチップ型発光ダイオードである光源１１と、駆動装置２０の駆動制御や光源１１の発光制御を行うマイクロコンピュータである制御部（図示せず）と、抵抗、コンデンサ等の各種回路部品（図示せず）とが前記配線パターンに導通接続されている。
【００１７】
回路基板１０の表面部Ｐには、照明光Ｌの色の変化を抑制するコーティング層１２が形成されている。コーティング層１２は、彩度を有さない色、例えば、白色のインクを用いて形成される。コーティング層１２は、各光源１１の周囲を囲むように略環状に形成されている。コーティング層１２は、光源１１から発せられてケース部材５０の後述する覆い部にて反射する照明光Ｌを受ける範囲に形成される。
【００１８】
このコーティング層１２を彩度のない色にする理由は、表示板４０（計測値表示部４１）の発光色が回路基板１０の色の影響を受けて意図しない色になることを低減するためである。このコーティング層１２は、例えば回路基板１０の表面部Ｐを覆う緑色のソルダーレジストの上に白色のシルク印刷により形成される。なお、コーティング層１２の色は、白色以外に灰色や黒色であってもよい。
【００１９】
駆動装置２０は、例えばステッピングモータからなり、回転軸２１が回路基板１０を貫通するように、その主要部が回路基板１０の裏側に装着され、且つ半田付け等の適宜導通手段により前記配線パターンに導通接続される。
【００２０】
指針３０は、回路基板１０に実装された図示しない指針用光源からの光を受けて発光可能な透光性の指針本体３１と、この指針本体３１の回転中心部に装着される遮光性カバー３２とを備えている。
【００２１】
表示板４０は、指針本体３１（指針３０）の回転軌道（作動範囲）に沿った円弧状の配列形状を有し指針本体３１によって指示される速度数字や速度目盛等からなる計測値表示部４１と、この計測値表示部４１の背景を形成する背景部４２とを有している。
【００２２】
これら計測値表示部４１並びに背景部４２は、計測値表示部４１が白色系の透光性インクにより、また背景部４２が黒色系の遮光性インクにより、それぞれ表示板４０の母材となる薄板状の透光性基材４３の表側にスクリーン印刷等の手段を用いて印刷形成される。
【００２３】
なお、ここでの計測値表示部４１は、光源１１（５つの光源１１のうち何れか１つの光源１１）の光軸Ｘ上に位置する第１の表示部Ｄ１と、光源１１（５つの光源１１のうち何れか１つの光源１１）の光軸Ｘ上に位置していない第２の表示部Ｄ２とを備える。第２の表示部Ｄ２は、後述する特許請求の範囲の請求項１または請求項２に記載されている表示部に相当する。
【００２４】
具体的には、車両の走行速度が時速１２０キロメートルであることを示す「１２０」なる速度数字が上記の第１の表示部Ｄ１に相当する。一方、車両の走行速度が時速０キロメートル、時速２０キロメートル、時速４０キロメートル、時速６０キロメートル、時速８０キロメートル、時速１００キロメートル、時速１４０キロメートルであることを示す「０」、「２０」、「４０」、「６０」、「８０」、「１００」、「１４０」なる速度数字、並びに全ての速度数字に対応する全ての速度目盛は、上記の第２の表示部Ｄ２に相当することになる。これら第２の表示部Ｄ２のうち、時速１４０キロメートルなる速度数字「１４０」を表示部Ｄ２１、当該速度数字「１４０」に対応する速度目盛を表示部Ｄ２２と定義する。
【００２５】
ケース部材５０は、例えば遮光性を有する白色の合成樹脂材料によって形成された樹脂ケースであり、各光源１１に対応して設けられる複数個（例えば５つ）の覆い部７０と、これら覆い部７０の外側に位置する壁部８０と、前記指針用光源を収納し、且つ、回転軸２１を取り囲む筒状部９０とを有し、この場合、覆い部７０と壁部８０と筒状部９０とは一体化された樹脂部品となっている。
【００２６】
覆い部７０は、筒状部９０を囲むように光源１１の表側に配置され、光源１１からの照明光Ｌの一部を遮光し、表示板４０をダイレクトに照射しないように形成される。覆い部７０は、図３に示すように光源１１の真上に位置する断面略Ｖ字形状の基部７１と、この基部７１を包囲する略円板状の包囲部７２とを有している。なお、覆い部７０の個数は、光源１１の個数と同数である。
【００２７】
基部７１は、光源１１の発光面の真上に位置し、その略Ｖ形状となっている背面部分は光源１１から発せられる照明光Ｌ（具体的には光源１１の光軸Ｘ付近から発せられる第１照明光Ｌ１）を表面部Ｐ側に向けて反射させるための傾斜反射面７１ａを構成している。つまり、ここでの傾斜反射面７１ａは、照明光Ｌを光源１１を中心にして外側に向けて反射する。
【００２８】
包囲部７２は、基部７１と一体的に設けられており、回路基板１０や表示板４０と略平行状態をなすように、基部７１の周囲に延在しており、内側包囲部７３と、外側包囲部７４と、連結部７５と、貫通孔部７６とを有している。
【００２９】
内側包囲部７３は、基部７１に連なるように基部７１の周囲に位置し、外側包囲部７４は、内側包囲部７３を取り巻くように内側包囲部７３の外側に位置している。ここで、内側包囲部７３の裏面部分は、光源１１の光軸Ｘから外れた領域に発せられる第２照明光Ｌ２を表面部Ｐ側に向けて反射させるための略平坦の反射部７７を構成している。同様にして、外側包囲部７４の裏面部分は、光源１１の光軸Ｘから外れた領域に発せられる第２照明光Ｌ２を表面部Ｐ側に向けて反射させるための略平坦の反射部７８を構成している。
【００３０】
なお、７４ａは、外側包囲部７４の周縁の一部において、回路基板１０側に向けて突出形成された遮光部であり、この遮光部７４ａは、内側包囲部７３の反射部７７、回路基板１０の表面部Ｐを順次反射して、その後、表示部Ｄ２１へと向かう第２照明光Ｌ２の一部を遮光する遮光壁としての機能を有している（図４参照）。
【００３１】
つまり、ここでの遮光部７４ａは、包囲部７２（後述する第４、第５覆い部の外側包囲部７４）に形成され、光源１１から発せられる照明光Ｌのうち、包囲部７２（反射部７７）並びに表面部Ｐを経て表示部Ｄ２１へと至る第２照明光Ｌ２の一部を遮るものである。
【００３２】
この場合、遮光部７４ａは、図５に示すように外側包囲部７４の周縁全体ではなく、図１中、Ｂ−Ｂ断面図の断面箇所を補助的に表す一点鎖線と外側包囲部７４とが交差する部分、２箇所に形成されている。遮光部７４ａは、後述する特許請求の範囲の請求項１に記載されている遮光部に相当する。
【００３３】
また、７４ｂは、外側包囲部７４の周縁の一部において、回路基板１０側に向けて突出形成された他の遮光部であり、この他の遮光部７４ｂは、内側包囲部７３の反射部７７、回路基板１０の表面部Ｐ、外側包囲部７４の反射部７８、表面部Ｐを順次反射して、その後、壁部８０の反射面８０ａへと向かう第２照明光Ｌ２の一部を遮光する遮光壁としての機能を有している（図６参照）。
【００３４】
つまり、ここでの他の遮光部７４ｂは、包囲部７２（後述する第４覆い部の外側包囲部７４）に形成され、包囲部７２、表面部Ｐ並びに壁部８０を経て表示部Ｄ２２へと至る第２照明光Ｌ２の一部を遮るものである。より詳しく言うなら、遮光部７４ｂは、内側包囲部７３の反射部７７、表面部Ｐ、外側包囲部７４の反射部７８、表面部Ｐ並びに壁部８０の反射面８０ａを順次経て表示部Ｄ２２へと至る第２照明光Ｌ２の一部を遮るものである。
【００３５】
この場合、他の遮光部７４ｂは、図５に示すように外側包囲部７４の周縁全体ではなく、図１中、Ｃ−Ｃ断面図の断面箇所を補助的に表す一点鎖線と外側包囲部７４とが交差する部分、２箇所のうち、外側の１箇所に形成されている。他の遮光部７４ｂは、後述する特許請求の範囲の請求項２に記載されている遮光部に相当する。
【００３６】
連結部７５は、内側包囲部７３と外側包囲部７４とを繋ぐ繋ぎ部であり、１つの覆い部７０について、連結部７５は、複数個（例えば４箇所）設けられる。
【００３７】
貫通孔部７６は、内側包囲部７３と外側包囲部７４とを分断するように包囲部７２の表裏を貫通している円弧状の長孔であり、１つの覆い部７０について、貫通孔部７６は、複数個（例えば４箇所）設けられる。
【００３８】
また、この長孔の貫通孔部７６は、その長手方向とは略直交する短手方向に沿って対向する位置に形成された第１、第２の内周面７６ａ、７６ｂを有する（図４参照）。
【００３９】
第１の内周面７６ａは、光源１１に近い側に形成される。第２の内周面７６ｂは、第１の内周面７６ａの形成位置よりも光源１１から遠い側に形成され、表側から裏側に向かうに従って、貫通孔部７６の開口幅が広がるような傾斜面として構成される。そして、この第２の内周面７６ｂは、第２の内周面７６ｂに照射される上記の第２照明光Ｌ２を表示板４０以外の方向、例えば回路基板１０の表面部Ｐ方向に反射させる光反射面となっている。
【００４０】
また、包囲部７２に形成された貫通孔部７６は、光源１１から発せられる照明光Ｌのうち、傾斜反射面７１ａ（基部７１）並びに表面部Ｐを経て表示部Ｄ２１へと至る第１照明光Ｌ１を通過可能とした光通過用の孔となっている。つまり、光源１１から発せられる照明光Ｌは、傾斜反射面７１ａによって回路基板１０側に第１照明光Ｌ１として反射した後、回路基板１０の表面部Ｐにて再度、包囲部７２側に反射される。そして、包囲部７２側に反射される第１照明光Ｌ１は、貫通孔部７６を通過して、表示部Ｄ２１へと至る。
【００４１】
壁部８０は、表示板４０の縁部を保持するように回路基板１０と表示板４０との間に位置する立壁部であり、覆い部７０を取り囲むように設けられている。なお、８０ａは、壁部８０の内周面に形成された反射面であり、この反射面８０ａは、外側包囲部７４と壁部８０との間を通過した第２照明光Ｌ２を、計測値表示部４１へと反射させる光反射部としての機能を有している。
【００４２】
見返し部材６０は、例えば黒色の合成樹脂材料によって形成され、表示板４０の縁部表側を覆うものである。また、見返し部材６０は、指針３０や計測値表示部４１を露出させるための開口孔６１を有している。
【００４３】
以上の各部により、計器装置が構成されている。次に、光源１１が点灯した際の表示板４０（計測値表示部４１）の発光表示状態について説明する。ここで、上述した５つの覆い部７０のうち、図５中、左下に位置する覆い部７０を第１覆い部Ｐ１、図５中、左上に位置する覆い部７０を第２覆い部Ｐ２、図５中、上側に位置する覆い部７０を第３覆い部Ｐ３、図５中、右方に位置する覆い部７０を第４覆い部Ｐ４、図５中、右下に位置する覆い部７０を第５覆い部Ｐ５とする。
【００４４】
同様に、上述した５つの光源１１のうち、第１覆い部Ｐ１に対応する光源１１を第１光源Ｔ１、第２覆い部Ｐ２に対応する光源１１を第２光源Ｔ２、第３覆い部Ｐ３に対応する光源１１を第３光源Ｔ３、第４覆い部Ｐ４に対応する光源１１を第４光源Ｔ４、第５覆い部Ｐ５に対応する光源１１を第５光源Ｔ５とする。
【００４５】
なお、第４覆い部Ｐ４は、従来技術にて記載した覆い部に相当し、第５覆い部Ｐ５は、従来技術にて記載した他の覆い部に相当し、第４光源Ｔ４は、従来技術にて記載した第１光源部に相当し、第５光源Ｔ５は、従来技術にて記載した第２光源部に相当する。
【００４６】
以下、計測値表示部４１の一部を構成する表示部Ｄ２１（時速１４０キロメートルを示す速度数字部分）への各照明光Ｌ１、Ｌ２の光路について図３（図４）に基づき説明する。この表示部Ｄ２１には、以下に示す第１〜第４の光が照射される。
【００４７】
第１の光は、第４光源Ｔ４から発せられて第４覆い部Ｐ４の貫通孔部７６を通過する光である。つまり、この第１の光は、第４光源Ｔ４ら発せられる照明光Ｌのうち、第４光源Ｔ４の光軸Ｘ付近から発せられる第１照明光Ｌ１が、第４覆い部Ｐ４における基部７１の傾斜反射面７１ａと回路基板１０のコーティング層１２とを順次反射した後、第４覆い部Ｐ４の貫通孔部７６を通過し表示部Ｄ２１へと至る光である。
【００４８】
第２の光は、第４光源Ｔ４から発せられて第４覆い部Ｐ４の外側包囲部７４の外側を通り抜ける光である。つまり、この第２の光は、第４光源Ｔ４から発せられる照明光Ｌのうち、第４光源Ｔ４の光軸Ｘから外れた領域に発せられる第２照明光Ｌ２が、第４覆い部Ｐ４における内側包囲部７３の反射部７７、回路基板１０のコーティング層１２を順次反射して、その後、第４覆い部Ｐ４における外側包囲部７４の外側を通り抜けて表示部Ｄ２１へと至る光である。
【００４９】
第３の光は、第５光源Ｔ５から発せられて第５覆い部Ｐ５の貫通孔部７６を通過する光である。つまり、この第３の光は、第５光源Ｔ５から発せられる照明光Ｌのうち、第５光源Ｔ５の光軸Ｘ付近から発せられる第１照明光Ｌ１が、第５覆い部Ｐ５における基部７１の傾斜反射面７１ａと回路基板１０のコーティング層１２とを順次反射した後、第５覆い部Ｐ５の貫通孔部７６を通過し表示部Ｄ２１へと至る光である。
【００５０】
第４の光は、第５光源Ｔ５から発せられて第５覆い部Ｐ５の外側包囲部７４の外側を通り抜ける光である。つまり、この第４の光は、第５光源Ｔ５ら発せられる照明光Ｌのうち、第５光源Ｔ５の光軸Ｘから外れた領域に発せられる第２照明光Ｌ２が、第５覆い部Ｐ５における内側包囲部７３の反射部７７、回路基板１０のコーティング層１２を順次反射して、その後、第５覆い部Ｐ５における外側包囲部７４の外側を通り抜けて表示部Ｄ２１へと至る光である。
【００５１】
次に、計測値表示部４１の一部を構成する表示部Ｄ２２（時速１４０キロメートルを示す速度数字に対応する速度目盛部分）への各照明光Ｌ１、Ｌ２の光路について図６に基づき説明する。この表示部Ｄ２２には、以下に示す第５、第６の光が照射される。
【００５２】
第５の光は、第４光源Ｔ４から発せられて第４覆い部Ｐ４の貫通孔部７６を通過する光である。つまり、この第５の光は、第４光源Ｔ４から発せられる照明光Ｌのうち、第４光源Ｔ４の光軸Ｘ付近から発せられる第１照明光Ｌ１が、第４覆い部Ｐ４における基部７１の傾斜反射面７１ａと回路基板１０のコーティング層１２とを順次反射した後、第４覆い部Ｐ４の貫通孔部７６を通過し表示部Ｄ２２へと至る光である。
【００５３】
第６の光は、第４光源Ｔ４から発せられて第４覆い部Ｐ４と壁部８０との間を通過するとともに壁部８０の反射面８０ａにて反射する光である。つまり、この第６の光は、第４光源Ｔ４から発せられる照明光Ｌのうち、第４光源Ｔ４の光軸Ｘから外れた領域に発せられる第２照明光Ｌ２が、第４覆い部Ｐ４における内側包囲部７３の反射部７７、回路基板１０のコーティング層１２、第４覆い部Ｐ４における外側包囲部７４の反射部７８、コーティング層１２を順次反射して、その後、第４覆い部Ｐ４と壁部８０との間に形成された間隙部８１を通過するとともに反射面８０ａによって表示部Ｄ２２側に反射する光である。
【００５４】
そして、上述の第１〜第４の光が時速１４０キロメートルを示す速度数字である表示部Ｄ２１へと至り、且つ、上述の第５、第６の光が時速１４０キロメートルを示す速度数字に対応する速度目盛である表示部Ｄ２２へと至ることで、当該表示部Ｄ２１、Ｄ２２が白色で発光表示されるが、これら表示部Ｄ２１、Ｄ２２が、特に、隣接する覆い部７０の中間地点（例えば第４覆い部Ｐ４と第５覆い部Ｐ５との間の略中間地点）に位置しているような条件下において、仮に上述した遮光部７４ａ、他の遮光部７４ｂが形成されていない従来技術の構成であるとすると、表示部Ｄ２１、Ｄ２２へと至る光の光量が、表示部Ｄ２１、Ｄ２２を除いた他の計測値表示部４１へと至る光の光量よりも多くなることに起因して、表示板４０（計測値表示部４１）の発光表示状態において、輝度ムラが発生してしまうという問題があった。
【００５５】
これに対し、本実施形態では、覆い部Ｐ４、Ｐ５の外側包囲部７４に、反射部７７、表面部Ｐ（コーティング層１２）を経て（覆い部Ｐ４、Ｐ５の）外側包囲部７４の外側を通り抜けて表示部Ｄ２１へと至る光の一部を遮る遮光部７４ａを設けるとともに、覆い部Ｐ４の外側包囲部７４に、内側包囲部７３の反射部７７、表面部Ｐ（コーティング層１２）、外側包囲部７４の反射部７８、表面部Ｐ（コーティング層１２）、間隙部８１、反射面８０ａを順次経て表示部Ｄ２２へと至る光の一部を遮る他の遮光部７４ａを設ける構成としている。
【００５６】
ここで、本発明者らは、ケース部材５０における第４覆い部Ｐ４や第５覆い部Ｐ５に遮光部７４ａ及び他の遮光部７４ｂを形成した場合の表示板４０（計測値表示部４１）の輝度ムラ発生有無の解析を行ったところ、表示板４０の輝度ムラは解消されていたことが判明した。
【００５７】
つまり、本実施形態によれば、遮光部７４ａ及び他の遮光部７４ｂが、光量調整用の遮光リブとして機能し、表示部Ｄ２１へと至る第２の光の一部や第４の光の一部は、遮光部７４ａによって遮られ、また表示部Ｄ２２へと至る第６の光の一部は、他の遮光部７４ａによって遮られる構成としている。
【００５８】
この結果、光源１１の点灯時に、表示部Ｄ２１、Ｄ２２に至る光の光量を減らすことができ、表示部Ｄ２１、Ｄ２２の発光輝度が、当該表示部Ｄ２１、Ｄ２２を除いた他の計測値表示部４１箇所の発光輝度と略同等となり、表示部Ｄ２１、Ｄ２２を含む全ての計測値表示部４１が輝度ムラなく発光表示されることが判明した。つまり、従来のように、ある表示部が他の計測値表示部よりも明るくなった状態で発光表示されることがなくなり、表示板４０を輝度ムラなく均一に照明することが可能となる。
【００５９】
以上のように本実施形態では、（第４覆い部Ｐ４、第５覆い部Ｐ５の）包囲部７２には、光源１１から発せられる照明光Ｌのうち、傾斜反射面７１ａ（基部７１）並びに表面部Ｐを経て表示部Ｄ２１（表示部Ｄ２）へと至る第１照明光Ｌ１を通過可能とした貫通孔部７６と、内側包囲部７３の反射部７７（つまり包囲部７２）並びに表面部Ｐ（コーティング層１２）を経て表示部Ｄ２１（表示部Ｄ２）へと至る第２照明光Ｌ２の一部を遮る遮光部７４ａとが形成されているものである。
【００６０】
また、（第４覆い部Ｐ４の）包囲部７２には、光源１１から発せられる照明光Ｌのうち、傾斜反射面７１ａ（基部７１）並びに表面部Ｐを経て表示部Ｄ２２（表示部Ｄ２）へと至る第１照明光Ｌ１を通過可能とした貫通孔部７６と、包囲部７２、表面部Ｐ並びに壁部８０を経て（より具体的には反射部７７、コーティング層１２、反射部７８、コーティング層１２、間隙部８１、反射面８０ａを順次経て）表示部２２（表示部Ｄ２）へと至る第２照明光Ｌ２の一部を遮る遮光部である他の遮光部７４ｂとが形成されているものである。
【００６１】
従って、遮光部７４ａ及び他の遮光部７４ｂは、光量調整用の遮光リブとして機能し、表示部Ｄ２１へと至る第２の光の一部や第４の光の一部が遮光部７４ａによって遮られ、また表示部Ｄ２２へと至る第６の光の一部が他の遮光部７４ａによって遮られることから、光源１１の点灯時に表示部Ｄ２１、Ｄ２２を含む全ての計測値表示部４１が輝度ムラの抑制された状態で発光表示され、表示板４０を輝度ムラなく均一に照明することが可能な計器装置を提供することができる。
【００６２】
また本実施形態では、遮光部７４ａ（あるいは他の遮光部７４ｂ）は、外側包囲部７４（包囲部７２）から回路基板１０側に向けて突出する遮光壁（前記遮光リブ）であることにより、ケース部材５０の形状を若干、改良するだけで、輝度ムラの抑制された表示板４０を得ることが可能となり、コストアップを避けながら商品性の向上した計器装置を提供することができる。
【００６３】
なお、本発明は、上述の実施形態及び図面によって限定されるものではない。本発明の要旨を変更しない範囲で、適宜、実施形態及び図面に変更（構成要素の削除も含む）を加えることが可能である。
【００６４】
例えば、上述した実施形態では、計測値表示部４１が複数個の速度数字と当該速度数字に対応する複数個の速度目盛とで構成されているものであったが、例えば速度目盛を廃止して、計測値表示部４１を複数個の速度数字のみで構成してもよい。
【符号の説明】
【００６５】
１０    回路基板
１１    光源
１２    コーティング層
３０    指針
４０    表示板
４１    計測値表示部
５０    ケース部材
７０    覆い部
７１    基部
７１ａ  傾斜反射面
７２    包囲部
７３    内側包囲部
７４    外側包囲部
７４ａ  遮光部
７４ｂ  他の遮光部（遮光部）
７５    連結部
７６    貫通孔部
７６ａ  第１の内周面
７６ｂ  第２の内周面
７７、７８  反射部
８０    壁部
８０ａ  反射面
８１    間隙部
Ｄ１    第１の表示部
Ｄ２    第２の表示部（表示部）
Ｄ２１、Ｄ２２  表示部
Ｌ    照明光
Ｌ１    第１照明光
Ｌ２    第２照明光
Ｐ    表面部
Ｘ    光軸
【図１】
2019039729.tif 000003
【図２】
2019039729.tif 000004
【図３】
2019039729.tif 000005
【図４】
2019039729.tif 000006
【図５】
2019039729.tif 000007
【図６】
2019039729.tif 000008